(57)【特許請求の範囲】
【請求項１】
マイクロコンピュータを備え、前記マイクロコンピュータにより調理動作を実行する制御部を含む調理器であって、
前記制御部は、前記調理動作の中断または前記調理動作の終了による調理動作の停止状態が所定時間継続した場合に当該制御部への電力の供給を停止すると共に、前記調理動作の中断から前記制御部への電力供給停止までの所定時間を前記調理動作の終了から前記制御部への電力供給停止までの所定時間より長く設定していることを特徴とする調理器。
【請求項２】
前記マイクロコンピュータに接続された不揮発性メモリをさらに含み、
前記制御部は、前記調理動作が中断されて当該制御部への電力の供給が停止される場合、前記中断により実行されなかった残りの調理動作の内容を前記不揮発性メモリに記憶させる、請求項１に記載の調理器。
【請求項３】
前記制御部は、前記調理動作が中断されて当該制御部への電力の供給が停止された後当該制御部への電力の供給が再開された場合に、前記不揮発性メモリから前記残りの調理動作の内容を取込み、前記調理器を調理動作が中断された状態に復帰させる、請求項２に記載の調理器。
【発明の詳細な説明】
【０００１】
【発明の属する技術分野】
本発明は、電子レンジや電磁調理器等の調理器に関し、特に、マイクロコンピュータにより制御する制御部を含む調理器に関する。
【０００２】
【従来の技術】
まず、マイクロコンピュータにより自動調理を制御する制御部を含む従来の調理器の一例として、電子レンジの構成を説明する。図９は、従来の電子レンジの電気的構成を模式的に示す図である。
【０００３】
図９に示す電子レンジは、外部電源５０により電力を供給される。そして、この電子レンジは、高周波の電波を発することにより調理を行なうマグネトロン５７と、前記マグネトロン５７に高電圧を供給するためのトランス５４、高圧コンデンサ５５、高圧ダイオード５６と、トランス５４への電力の供給のオン／オフを切換えるために回路を開閉するリレー接点５３と、電子レンジのドアの開閉に応じて回路を開閉するドアスイッチ５２ａ、５２ｂと、電子レンジに過電流が供給されることを防止するためのヒューズ５１とを含む。
【０００４】
また、図９に示す電子レンジは、リレー接点５３による回路の開閉を制御するための制御部８０と、制御部８０に所定電圧の電力を供給するためのトランス５８と、制御部８０への電力の供給のオン／オフを切換えるために外部電源５０、トランス５８、制御部８０を含む回路を開閉するリレー接点７１ａと、リレー接点７１ａと並列接続されユーザ等により操作される指示手段の一例のスイッチ８１を含む。なお、制御部８０は、マイクロコンピュータ８２と、マイクロコンピュータ８２に定電圧を供給するための定電圧回路８３と、リレー接点７１ａに回路の開閉を切換えさせるための通電制御回路７０を備えている。
【０００５】
図９に示す電子レンジにおいては、ユーザが、自動調理を開始させるためにスイッチ８１を操作すると、スイッチ８１は回路を閉じ、トランス５８を介して制御部８０に電力が供給される。これにより、マイクロコンピュータ８２は、図示せぬリセット回路により初期化され、通電制御回路７０にリレー接点７１ａを閉じる旨の信号を送る。そして、リレー接点７１ａは、一度回路を閉じると、マイクロコンピュータ８２が通電制御回路７０に対してリレー接点７１ａに回路を開かせる旨の信号を送るまでは、継続的に回路を閉じた状態となっている。これにより、制御部８０は、継続的に電力を供給され、電子レンジにおける自動調理を制御する。
【０００６】
また、上記のような調理器の別の一例である、特開昭６１−１４７４９０号公報に開示された電子レンジは、自動調理が停止された場合、一定時間経過後に制御部への通電が停止されるように構成されていた。これにより、電子レンジにおいて、調理を行なわないときの制御部への無駄な通電が防止されていた。
【０００７】
【発明が解決しようとする課題】
しかしながら、図９に示すような従来の調理器では、スイッチ８１が操作されてからリレー接点７１ａが閉じるまでには、マイクロコンピュータ８２の初期化等が必要であったため、相当の時間（約０．３秒程度）を要していた。つまり、調理器においてリレー接点７１ａに回路を閉じさせるためには、スイッチ８１が、少なくとも当該相当の時間は回路を閉じ、マイクロコンピュータ８０等が、スイッチ８１、トランス５８を介して、当該相当の時間、電力を供給され続けなければならなかった。したがって、スイッチ８１がユーザによって押圧され続ける時間が前記相当の時間よりも短い場合には、スイッチ８１が押圧されたにもかかわらず、制御部８０に継続的な電力の供給がなされず自動調理を行なうことができないという事態が生じていた。
【０００８】
また、特開昭６１−１４７４９０号公報に開示された電子レンジでは、自動調理が停止されると、どのような状況であっても、一定時間が経過すると制御部への通電が停止されていた。これは、特に調理を行なっておらず、かつ、しばらく調理器を利用しない場合には、電力の無駄な使用を防ぐ便利な機能である。したがって、制御部への通電は、調理停止後早期に停止されることが好ましいと考えられていた。しかし、同公報に開示された電子レンジでは、たとえば調理中のトラブルのために調理を中断している場合等、調理再開の必要がある場合にも、調理器を利用しない場合と同様に、調理停止後前記一定時間が経過すると制御部への通電が停止されていた。
【０００９】
以上のように、従来の調理器においては、ユーザが調理開始等の指示を与える指示手段を操作したにもかかわらず制御部への通電が行なわれなかったり、自動調理の中断後比較的短い時間が経過すると制御部への通電が停止されることがあったため、ユーザは、調理器に対して、調理開始等の指示を与えるために、または、中断された調理動作を再開させるために、さらなる操作を行なわなければならなかった。したがって、従来の調理器では、ユーザに余計な操作を必要とさせる場合があり、操作が煩雑であった。
【００１０】
本発明は、係る実情に鑑み考え出されたものであり、その目的は、ユーザによる操作をより少なくする調理器を提供することである。
【００１１】
【課題を解決するための手段】
請求項１に記載の発明に係る調理器は、マイクロコンピュータにより調理動作を実行する制御部を含むものであって、前記制御部は、前記調理動作の中断または前記調理動作の終了による調理動作の停止状態が所定時間継続した場合に当該制御部への電力の供給を停止すると共に、前記調理動作の中断から前記制御部への電力供給停止までの所定時間を前記調理動作の終了から前記制御部への電力供給停止までの所定時間より長く設定していることを特徴とする。
【００１２】
請求項１に記載の発明によると、制御部により、調理器が調理動作の中断または前記調理動作の終了による調理動作の停止状態が所定時間継続した場合には、制御部への通電が停止されるが、その所定時間は、前記調理動作の中断から前記制御部への電力供給停止までの所定時間を前記調理動作の終了から前記制御部への電力供給停止までの所定時間より長く設定している。
【００１３】
これにより、ユーザの希望するように制御部への通電停止までの時間を設定することができ、電力の無駄な使用を防ぎつつ、ユーザに、余計に、制御部への通電再開の操作を行なわせることを極力回避できる。したがって、調理器において、ユーザによる操作をより少なくすることができる。
【００１４】
また、調理動作を再開させる可能性の高い場合の方が、当該可能性の低い場合よりも調理動作の停止から制御部への電力供給の停止までの時間が長くなる。したがって、より確実に、調理器において、電力の無駄な使用を防ぎつつ、ユーザによる制御部への通電再開のための操作回数を少なくすることができる。
【００１５】
請求項２に記載の発明に係る調理器は、請求項１に記載の発明に係る調理器の構成に加えて、前記マイクロコンピュータに接続された不揮発性メモリをさらに含み、前記制御部は、前記調理動作が中断されて当該制御部への電力の供給が停止される場合、前記中断により実行されなかった残りの調理動作の内容を前記不揮発性メモリに記憶させることを特徴とする。
【００１６】
請求項２に記載の発明によると、請求項１に記載の発明による作用に加えて、制御部により、調理動作が中断されて制御部への電力の供給が停止される場合、マイクロコンピュータに接続される不揮発性メモリに、中断されることにより実行されなかった残りの調理動作の内容が記憶される。
【００１７】
これにより、請求項１に記載の発明による効果に加えて、調理器において、中断された調理動作を容易に再開させることができる。
【００１８】
請求項３に記載の発明に係る調理器は、請求項２に記載の発明に係る調理器の構成に加えて、前記制御部は、前記調理動作が中断されて当該制御部への電力の供給が停止された後当該制御部への電力の供給が再開された場合に、前記不揮発性メモリから前記残りの調理動作の内容を取込み、前記調理器を調理動作が中断された状態に復帰させることを特徴とする。
【００１９】
請求項３に記載の発明によると、請求項２に記載の発明による作用に加えて、制御部への電力の供給が再開されると、調理器は、調理動作が中断された状態に復帰する。
【００２０】
これにより、請求項２に記載の発明による効果に加えて、調理器において、中断された調理動作をより容易に再開させることができる。
【００２１】
【発明の実施の形態】
以下、図面を用いて、本発明の実施の形態の一例を説明する。
【００２２】
図１（ａ）に、調理器の一例の電子レンジの斜視図を示す。電子レンジ１は、主に、本体２とドア３とからなる。本体２には、本体２の外郭を覆う外装部４と、コントロールパネル６と、複数の脚８が設けられている。なお、コントロールパネル６は、ユーザが電子レンジ１を操作するために、電子レンジ１の前面に設けられている。
【００２３】
ドア３は、その左端を軸として開閉され、ユーザがドア３を開閉するために用いる把手３ａを備えている。
【００２４】
図１（ｂ）は、図１（ａ）のドア３が手前に開かれた状態を示している。ドア３の奥の本体２内部には、加熱室５０が設けられている。また、ドア３は、ドアラッチ３１、３２を備えている。ドアラッチ３１、３２は、ドア３から突出し、ドア３が閉じられているときには本体２内に嵌め込まれている。また、本体２内のドアラッチ３１、３２が嵌め込まれる部分には、所定のセンサが設けられている。そして、当該センサの検出出力に基づいて、電子レンジ１では、ドア３が閉じられているか否かが判断される。
【００２５】
図２は、図１のコントロールパネル６の構成を示す図である。コントロールパネル６は、たとえば液晶からなる表示パネル６０を含む。また、コントロールパネル６は、予め記憶された調理プログラムに従って調理が進行する自動メニュー６１の中から所望のメニューを選択するために操作される自動メニューキー６ａを含む。
【００２６】
さらに、コントロールパネル６は、冷凍された食材を常温またはそれ以下の温度まで解凍するために操作される解凍キー６ｂ、オーブン調理のために操作されるオーブンキー６ｃ、調理開始（または再開）のために操作されるスタートキー６ｄ、キー操作により指定された内容を取消すために操作される取消キー６ｅ、食品を１分等の決められた時間だけ温めるために操作される温めキー６ｆ、レンジ調理のために操作されるレンジキー６ｇおよび調理時間を設定するために回転操作されるタイマキー６ｉを含む。また、コントロールパネル６は、電子レンジ１を調理時以外にもタイマーとして使用するために操作されるキッチンタイマキー６２を含む。これら各種のキー操作の内容は、その都度表示パネル６０に表示されて、ユーザは操作内容を確認できる。
【００２７】
なお、図中６３は、電源キーであり、後述する電子レンジ１の制御部４０に電力を供給するために、すなわち、電子レンジ１を立上げるために操作するキーである。そして、電子レンジ１は、電源キー６３を押圧され立上げが行なわれた後にコントロールパネル６の各キーを用いた調理メニューの入力を受付けるよう構成されている。
【００２８】
図３は、図１の電子レンジ１の電気回路を模式的に示す図である。図３を参照して、１５は、電子レンジ１に電力を供給するための外部電源である。また、１０は高周波発振器の一例であるマグネトロンであり、１１は高圧トランス、１２は高圧ダイオード、１３は高圧コンデンサである。なお、マグネトロン１０は、高周波の電波を発して、加熱室５０内の食品等の被加熱物を加熱する。また、高圧トランス１１と高圧ダイオード１２と高圧コンデンサ１３は、半波倍電圧回路を構成し、前記マグネトロン１０に高電圧（３〜４ｋＶ）を供給している。また、１４は、マグネトロン１０への給電停止後に高圧コンデンサ１３に溜まった電気を放電する放電抵抗である。なお、放電抵抗１４としては、高圧トランス１１への電力の供給が停止された後、約１分程度で高圧コンデンサ１３の放電が完了するような抵抗値を有する抵抗が用いられる。
【００２９】
また、１８はドアスイッチであり、ドア３が開かれると図３に示す回路を開き、ドア３が閉じられると当該回路を閉じる。したがって、電子レンジ１では、ドア３が開かれていると、ドアスイッチ１８が回路を開いて、トランス１１への外部電源１５からの電力供給が妨げられるため、マグネトロン１０が電波を発しないように構成されている。
【００３０】
図中３０は、加熱調理のためにマグネトロン１０への通電を規制する出力調整用リレー接点である。出力調整用リレー接点３０は、マグネトロン１０の出力を調整するために、加熱調理の最中にオン／オフを繰返している。出力調整用リレー接点３０のオン／オフは、通電制御回路３２により制御されている。通電制御回路３２は、マイクロコンピュータ２０に制御される。また、マイクロコンピュータ２０は、コントロールパネル６の各種キーより構成されるキー入力部３４に接続される。そして、通電制御回路３２は、マイクロコンピュータ２０から、ユーザがコントロールパネル６の各種キーを用いて入力した調理メニューに応じたデータが送られ、当該データに従って出力調整用リレー接点３０をオン／オフする。２５は、マイクロコンピュータ２０に一定電圧の電力を供給する定電圧回路である。
【００３１】
マイクロコンピュータ２０は、後述するメインルーチンについての１ルーチンの長さを規定する内部タイマーと、調理動作停止時からオートオフまでの時間を計時するためのオートオフタイマとを備えている。
【００３２】
また、マイクロコンピュータ２０は、リセット回路３１、不揮発性メモリ３５、表示パネル６０（図２参照）に接続されている。リセット回路３１は、電源キー６３が押圧され、電子レンジ１が立上げられる際に、マイクロコンピュータ２０に初期化のための信号を発するものである。マイクロコンピュータ２０、定電圧回路２５、リセット回路３１、通電制御回路３２、キー入力部３４および不揮発性メモリ３５により、制御部４０が構成されている。なお、制御部４０は、コントロールパネル６から入力された調理メニューに従った調理動作を行なうよう、電子レンジ１を制御する。そして、本実施の形態では、制御部４０により、マイクロコンピュータにより自動調理を制御する制御部が構成されている。
【００３３】
また、後述するように、マイクロコンピュータ２０への通電は調理メニューの実行途中で停止される場合があるが、このような場合には、当該実行途中の調理メニューの残りの調理内容は、不揮発性メモリ３５に記憶される。
【００３４】
電子レンジ１を構成する回路には、さらに、外部電源１５から電子レンジ１に過電流が投入されることを防ぐヒューズ１６と、制御部４０等に所定の電圧の電力を供給するためのトランス２３と、トランス２３から供給される交流を直流に変換する整流回路２４と、スイッチ２１と、リレー接点２２と、平滑コンデンサ２６と、抵抗２７およびリレーコイル２８が含まれる。
【００３５】
抵抗２７およびリレーコイル２８は、平滑コンデンサ２６と並列に接続されている。そして、リレーコイル２８には、さらにトランジスタ２９が並列接続されており、トランジスタ２９は、マイクロコンピュータ２０により、オン／オフを制御される。
【００３６】
ここで、電子レンジ１の立上げについて、図３を用いて説明する。ユーザは、電子レンジ１を立上げる際に、電源キー６３を押圧する。電子レンジ１では、電源キー６３が押圧されている間、スイッチ２１の接点が閉じる。スイッチ２１の接点が閉じると、トランス２３、整流回路２４、抵抗２７を介して、リレーコイル２８が通電される。リレーコイル２８が通電されると、リレー接点２２が閉じる。なお、リレー接点２２が開かなければ、リレーコイル２８は通電され続ける。したがって、一度リレーコイル２８が通電されると、それ以降スイッチ２１の接点が開いても、継続的にリレー接点２２が閉じる。リレー接点２２が継続的に閉じると、マイクロコンピュータ２０を含む制御部４０にも継続的に電力が供給される。このようにして、電子レンジ１の立上げが行なわれる。
【００３７】
電子レンジ１では、マイクロコンピュータ２０を含む制御部４０に電力を供給する場合、電源キー６３の押圧によりスイッチ２１が接点を閉じた後、リレーコイル２８が通電されることにより、リレー接点２２が閉じるように構成されている。このとき、マイクロコンピュータ２０の初期化は、リレー接点２２の閉成と並行して行なわれる。つまり、電源キー６３の押圧からリレー接点２２の継続的な閉成が開始されるまでに、従来のようにマイクロコンピュータ２０の初期化が必要とされない。これにより、電源キー６３の押圧からリレー接点２２の継続的な閉成が開始されるまでの時間が、約０．０１秒程度と短くなるため、電源キー６３の押圧が、マイクロコンピュータ２０の初期化に必要な約０．３秒継続しなくとも、約０．０１秒以上継続すれば、確実にリレー接点２２の継続的な閉成が開始される。したがって、電子レンジ１では、従来のように、電源キー６３の押圧継続時間が短すぎることにより、ユーザが電源キー６３を押圧したにもかかわらず制御部４０に電力が供給されないという不都合を極力回避できる。
【００３８】
電子レンジ１では、コントロールパネル６を用いて調理メニューの入力を行なった後、スタートキー６ｄを押圧することによりマグネトロン１０を用いた調理動作が開始される。そして、調理メニューに基づいた調理動作が終了するか、または、調理動作中にドア３が開かれることにより、調理動作は停止する。そして、調理動作が停止した後、所定時間、マグネトロン１０を用いた調理動作を行なうような操作がなされなければ、電子レンジ１では、制御部４０が、当該制御部４０への通電を自動的に停止するように構成されている。このような制御部４０への通電の自動的な停止を、「オートオフ」という。このオートオフが行なわれることにより、調理動作を行なわない間、電子レンジ１に無駄に電力が供給されることを防止できる。
【００３９】
なお、制御部４０への通電の停止は、トランジスタ２９をオンすることにより行なわれる。すなわち、マイクロコンピュータ２０がトランジスタ２９のベースにオン信号を出力すると、トランジスタ２９のコレクタ（図中上部）からエミッタ（図中下部）に電流が流れる。これにより、リレーコイル２８には電流がほぼ流れなくなり、リレー接点２２が開く。したがって、制御部４０への通電が停止されるのである。
【００４０】
次に、電子レンジ１の動作を、マイクロコンピュータ２０の処理内容に沿って説明する。図４は、マイクロコンピュータ２０のメインルーチンのフローチャートである。
【００４１】
図４を参照して、まず、電源キー６３が押圧され、制御部４０に継続的に電力が供給され、マイクロコンピュータ２０が初期化されると、ステップ１（以下、ステップをＳと略す）で、メインルーチンについての１ルーチンの長さを規定する内部タイマーがスタートされる。
【００４２】
次に、Ｓ２で、不揮発性メモリ３５に記憶された調理動作に関するデータを取込む処理（メモリデータ取込処理）が行なわれる。次に、Ｓ３で、オートオフ前に、不揮発性メモリ３５に、残りの調理動作に関するデータを書込む処理（データ書込処理）が行なわれる。そして、Ｓ４で、調理動作の停止状態が所定時間継続した場合に前述のオートオフを行なう処理がなされる。そして、Ｓ５で、その他の処理がなされた後、Ｓ６に進み、Ｓ１でスタートした内部タイマーが終了したか否かが判断される。内部タイマーが終了したと判断されると（Ｓ６で、Ｙｅｓ）、メインルーチンは終了する。なお、メインルーチンの長さは、たとえば、１秒とすることができる。
【００４３】
次に、図４のＳ４のオートオフ処理の内容について説明する。図５は、オートオフ処理のサブルーチンのフローチャートである。
【００４４】
図５を参照して、まず、Ｓ１で、マグネトロン１０に通電されているか否か、すなわち、電子レンジ１が調理動作を行なっているか否かが判断される。調理動作を行なっている場合には、そのままリターンし、調理動作を行なっていない場合には、Ｓ４２に進む。
【００４５】
Ｓ４２では、既にＳ４４またはＳ４５でオートオフタイマがセットされているか否かが判断される。セットされている場合には、Ｓ４６に進み、セットされていない場合にはＳ４３に進む。
【００４６】
Ｓ４３では、調理動作を行なっていないのは、調理メニューの実行中にドア３が開けられたためであるか、すなわち、実行中の調理メニューが中断された状態であるか否かの判断がなされる。調理メニューが中断された状態である場合には、Ｓ４４で、オートオフタイマに１０分を設定する処理がなされ、Ｓ４６に進む。一方、中断された状態でない場合、すなわち、調理メニューが終了したかまたはもともと調理メニューを実行していなかった場合には、Ｓ４５で、オートオフタイマに２分を設定する処理がなされＳ４６に進む。
【００４７】
Ｓ４６では、オートオフタイマのカウントダウンがなされ、Ｓ４７に進む。Ｓ４７では、オートオフタイマが終了しているか否かの判断がなされ、終了していない場合にはそのままリターンする。一方、オートオフタイマが終了している場合には、Ｓ４８に進む。
【００４８】
Ｓ４８では、トランジスタ２９のベースにオン信号を出力する処理がなされ、リターンする。なお、前述のように、トランジスタ２９のベースにオン信号が出力されると、トランジスタ２９が通電され、リレーコイル２８には電流がほぼ流れなくなるため、リレー接点２２が開き、制御部４０への通電が停止される。
【００４９】
以上のオートオフ処理により、電子レンジ１では、マグネトロン１０を用いた調理動作が停止された場合、所定時間が経過すると、制御部４０への電力の供給が停止される。なお、調理動作が停止してから制御部４０への電力の供給が停止されるまでの時間は、調理メニューについての調理動作が終了した場合（２分、Ｓ４５参照）よりも、調理メニューにかかる調理動作が中断された場合（１０分、Ｓ４４参照）の方が長くなっている。これは、調理メニューの調理動作が終了した場合よりも、中断された場合の方が調理動作の再開の可能性が高いからである。すなわち、電子レンジ１では、調理動作の再開の可能性の高い、調理メニューの中断中の方が、制御部４０への電力の供給が停止されにくく構成されており、電力の無駄な消費を防ぐオートオフ機能を採用しつつも、ユーザが電源キー６３を押圧する回数をより少なくしようとしている。
【００５０】
次に、図４のＳ３のデータ書込処理の内容について説明する。図６は、データ書込処理のサブルーチンのフローチャートである。
【００５１】
図６を参照して、まず、Ｓ３１で、電子レンジ１が調理メニューの実行中であるか否かが判断される。実行中でなければ、すなわち、コントロールパネル６により調理メニューが未だ入力されていないかまたは入力された調理メニューが終了した場合には、そのままリターンする。一方、調理メニューの実行中の場合は、Ｓ３２に進む。
【００５２】
Ｓ３２では、Ｓ３１で実行中であると判断された調理メニューが中断されているか否か、すなわちドア３が開けられているか否かが判断される。調理メニューが中断されていなければそのままリターンする。一方、調理動作が中断されている場合には、Ｓ３３で、不揮発性メモリ３５に、これから行なうべき残りの調理動作についてのデータを書込む処理がなされる。
【００５３】
以上説明したデータ書込処理では、電子レンジ１において、調理動作が中断される毎に、不揮発性メモリ３５にその時点での残りの調理動作のデータが書込まれる。
【００５４】
次に、図４のＳ２のメモリデータ取込処理の内容について説明する。図７は、メモリデータ取込処理のサブルーチンのフローチャートである。
【００５５】
図７を参照して、まず、Ｓ２１で、不揮発性メモリ３５内のデータをチェックする。次に、Ｓ２２で、不揮発性メモリ３５にデータが書込まれているか否かを判断する。データが書込まれていない場合にはそのままリターンする。一方、データが書込まれている場合にはＳ２３に進む。Ｓ２３では、不揮発性メモリ３５に書込まれたデータを、マイクロコンピュータ２０が内蔵するＲＡＭに取込む処理が行なわれる。次に、Ｓ２４で、不揮発性メモリ３５の記憶内容をクリアする処理を行なう。
【００５６】
以上説明したメモリデータ取込処理により、調理メニューの中断中にオートオフが行なわれると、次に電子レンジ１を立上げたとき、マイクロコンピュータ２０は、不揮発性メモリ３５から、中断された調理メニューの残りの調理動作のデータを取込み、電子レンジ１を調理動作が中断された状態に復帰させる。
【００５７】
なお、電子レンジ１は、図７に示すメモリデータ取込処理が行なわれた後、表示パネル６０に、不揮発性メモリ３５から取込まれた残りの調理動作のデータを表示し、スタートキー６ｄが押圧されれば、当該残りの調理動作を実行し、取消キー６ｅが押圧されれば、マイクロコンピュータ２０において当該残りの調理動作のデータがクリアされ、次の調理メニューを入力可能な状態になるように構成されることができる。
【００５８】
なお、本実施の形態における「調理メニュー」とは、自動メニューキー６ａを用いて選択する自動メニュー６１内の各メニューだけでなく、レンジキー６ｇ等の他のキーを用いて入力されたメニューも含む。
【００５９】
以上説明した本実施の形態におけるメモリデータ取込処理（図７）においては、調理メニューの中断中にオートオフが行なわれ、再度電子レンジ１が立上げられた場合、マイクロコンピュータ２０は自動的に不揮発性メモリ３５内に書込まれたデータを取込むように構成されたが、本発明はこれに限定されるものではない。すなわち、コントロールパネル６に、オートオフにより不揮発性メモリ３５に書込まれた残りの調理動作のデータをマイクロコンピュータ２０に取込ませるためのキー（たとえば「呼出しキー」）を設け、当該呼出しキーが操作された場合のみ、不揮発性メモリ３５から残りの調理動作のデータを取込むように構成することもできる。図８に、この場合のメモリデータ取込処理の変形例のフローチャートを示す。
【００６０】
図８を参照して、まずＳＡ２１で、キー入力があったか否かが判断される。キー入力がない場合はそのままリターンする。キー入力があった場合には、ＳＡ２２に進む。
【００６１】
ＳＡ２２では、ＳＡ２１で入力があったとされるキーが、前述の呼出しキーであるか否かが判断される。呼出しキーでない場合にはＳＡ２３で、不揮発性メモリ３５の記憶内容をクリアし、リターンする。一方、呼出しキーである場合には、ＳＡ２４に進む。
【００６２】
ＳＡ２４では、不揮発性メモリ３５にデータが書込まれているか否かが判断され、書込まれていない場合にはそのままリターンする。一方、書込まれている場合には、ＳＡ２５に進む。
【００６３】
ＳＡ２５では、不揮発性メモリ３５に書込まれたデータを、マイクロコンピュータ２０内のＲＡＭに取込む処理が行なわれ、ＳＡ２６に進む。ＳＡ２６では、不揮発性メモリ３５の記憶内容をクリアする処理が行なわれ、ＳＡ２７に進む。ＳＡ２７では、マイクロコンピュータ２０内のＲＡＭに取込まれた残りの調理動作のデータに従って、調理が開始される。
【００６４】
図８を用いて説明した、メモリデータ取込処理の変形例においては、調理メニューの中断中にオートオフが行なわれ、再度電子レンジ１が立上げられた際に、「呼出しキー」が押圧されると、不揮発性メモリ３５に記憶された残りの調理動作のデータに従った調理が行なわれ、呼出しキー以外のキーが押圧されると不揮発性メモリ３５内の残りの調理動作のデータが消去される。電子レンジ１が、このように構成されると、中断時の残りの調理動作を容易に実行でき、かつ、当該残りの調理動作を行なわない場合には当該残りの調理動作のデータがマイクロコンピュータ２０に取込まれず、処理をより簡略化できる。
【００６５】
以上説明した本実施の形態においては、外部電源１５、スイッチ２１、リレー接点２２、トランス２３、整流回路２４、リレーコイル２８、トランジスタ２９、制御部４０を含む回路により、外部電源と制御部を含み、制御部に外部電源からの電力を供給するために形成される電力供給回路が構成されている。
【００６６】
また、電源キー６３により、制御部に電力を供給することを指示するための指示手段が構成されている。また、リレー接点２２とリレーコイル２８により、電力供給回路を開閉可能に設けられ、指示手段が操作されることにより、マイクロコンピュータの初期化と並行して電力供給回路を継続的に閉路させる回路開閉手段が構成されている。
【００６７】
また、本実施の形態では、リレーコイル２８に並列接続されたトランジスタ２９を設けることにより、制御部４０は、リレーコイル２８への通電を停止してリレー接点２２を開き、制御部４０への電力の供給を停止することができる。
【００６８】
今回開示された実施の形態は、すべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【００６９】
すなわち、Ｓ４４やＳ４５（図５参照）においてオートオフタイマにセットされる時間は、１０分または２分に限定されるものではない。また、電子レンジ１は、実行中の調理メニューにかかる調理動作を、ドア３を開くことだけでなく、コントロールパネル６上に設けられた所定のキーの押圧によっても中断するよう、構成されることができる。
【図面の簡単な説明】
【図１】本発明の調理器の一例の電子レンジの斜視図である。
【図２】図１の電子レンジのコントロールパネルを示す図である。
【図３】図１の電子レンジの電気回路を模式的に示す図である。
【図４】図１の電子レンジのマイクロコンピュータにおけるメインルーチンのフローチャートである。
【図５】図４のオートオフ処理のサブルーチンのフローチャートである。
【図６】図４のデータ書込処理のサブルーチンのフローチャートである。
【図７】図４のメモリデータ取込処理のサブルーチンのフローチャートである。
【図８】図７に示すメモリデータ取込処理の変形例のフローチャートである。
【図９】従来の調理器の電気回路を模式的に示す図である。
【符号の説明】
１  電子レンジ
３  ドア
６  コントロールパネル
１５  外部電源
２０  マイクロコンピュータ
２１  スイッチ
２２  リレー接点
２８  リレーコイル
２９  トランジスタ
６３  電源キー
【図１】
0003588335.tif 000002
【図２】
0003588335.tif 000003
【図３】
0003588335.tif 000004
【図４】
0003588335.tif 000005
【図５】
0003588335.tif 000006
【図６】
0003588335.tif 000007
【図７】
0003588335.tif 000008
【図８】
0003588335.tif 000009
【図９】
0003588335.tif 000010